(57)【要約】    記載したように、石油、石油化学、又は化学プラントにおいてエネルギーを回収するための装置及び方法。この装置は、石油、石油化学、又は化学プロセスゾーンを通って流れる流体プロセス流を含む。少なくとも１つの可変抵抗動力回収タービンが存在し、第１のプロセス流の一部は第１の動力回収タービンを通って流れて、そこから直流として、電力を発生させる。少なくとも１つの動力回収タービンに電気的に接続された単一のＤＣ−ＡＣインバータが存在し、ＤＣ−ＡＣインバータの出力は、第１のサブステーションに電気的に接続されている。  【選択図】図１
2021517220.tif 000002
【特許請求の範囲】
【請求項１】
石油、石油化学、又は化学プラントからエネルギーを回収するためのプロセスであって、
石油、石油化学、又は化学プロセスゾーンにおいて少なくとも第１の流体プロセス流を提供することと、
前記第１のプロセス流の少なくとも一部を、第１の可変抵抗動力回収タービン（５Ａ）を通るように方向付けることによって前記第１のプロセス流の流量を制御して、そこから直流として、回収された電力を発生させることと、
単一のＤＣ−ＡＣインバータ（２０）内で、前記回収された直流を回収された交流に変換することと、
前記回収された交流を第１のサブステーションに提供することと、を含む、プロセス。
【請求項２】
前記第１のサブステーションは、前記プロセスゾーン内の１つの機器に電気的に接続されている、請求項１に記載のプロセス。
【請求項３】
前記第１のサブステーションは、少なくとも２つの石油、石油化学、又は化学プロセスゾーンに電気的に接続されている、請求項１〜２のいずれか一項に記載のプロセス。
【請求項４】
前記回収された交流を、前記少なくとも２つのプロセスゾーン内の１つの機器に提供することを更に含む、請求項１〜２のいずれか一項に記載のプロセス。
【請求項５】
前記プロセスゾーンを通って流れる、少なくとも第２の流体プロセス流を提供することと、
前記第２のプロセス流の少なくとも一部を、少なくとも第２の可変抵抗動力回収タービン（５Ｂ）を通るように方向付けることによって前記第２のプロセス流の流量を制御して、そこから直流として、回収された電力を発生させることと、
前記第１及び前記第２の動力回収タービン（５Ａ、５Ｂ）からの前記直流を統合することと、
前記ＤＣ−ＡＣインバータ（２０）内で、統合した、前記回収された直流を前記回収された交流に変換することと、を更に含む、請求項１〜２のいずれか一項に記載のプロセス。
【請求項６】
前記第１のサブステーションは、少なくとも１つの交流バス（４５）を備え、前記ＤＣ−ＡＣインバータの出力は、前記少なくとも１つの交流バス（４５）に電気的に接続されている、請求項１〜２のいずれか一項に記載のプロセス。
【請求項７】
第２のサブステーションを更に含み、前記第１のサブステーションの前記出力は、前記第２のサブステーションに電気的に接続されている、請求項１〜２のいずれか一項に記載のプロセス。
【請求項８】
前記第２のサブステーションは、前記第１のサブステーションの電圧よりも高い電圧を有し、前記ＤＣ−ＡＣインバータの出力を、前記第２のサブステーションの前記より高い電圧に昇圧させることを更に含む、請求項７に記載のプロセス。
【請求項９】
複数の減圧装置から情報を受信することであって、前記複数の減圧装置は、１つ以上の動力回収タービン、制御弁、又は両方を備える、ことと、
前記減圧装置のそれぞれに対して電力損失値又は発生電力値を決定することと、
前記減圧装置のそれぞれからの前記電力損失値又は前記発生電力値に基づいて総電力損失値又は総発生電力値を決定することと、
少なくとも１つのディスプレイ画面に前記総電力損失値又は前記総発生電力値を表示することと、を更に含む、請求項１〜２のいずれか一項に記載のプロセス。
【請求項１０】
石油、石油化学、又は化学プラントにおいてエネルギーを回収するための装置であって、
石油、石油化学、又は化学プロセスゾーンと、
前記プロセスゾーンを通って流れる、少なくとも第１の流体プロセス流と、
少なくとも第１の可変抵抗動力回収タービン（５Ａ）であって、前記第１のプロセス流の一部は前記第１の動力回収タービン（５Ａ）を通って流れて、そこから直流として、回収された電力を発生させる、少なくとも第１の可変抵抗動力回収タービン（５Ａ）と、
前記第１の動力回収タービン（５Ａ）に電気的に接続された単一のＤＣ−ＡＣインバータ（２０）であって、前記ＤＣ−ＡＣインバータ（２０）の出力は、第１のサブステーションに電気的に接続されている、単一のＤＣ−ＡＣインバータ（２０）と、を備える、装置。
【発明の詳細な説明】
【背景技術】
【０００１】
典型的には、石油、石油化学、及び化学プロセスプラント内のプロセス流に動力回収タービンが設置される場合、動力は機械的手段を介してポンプ又は圧縮機のドライバに送られる。これは、一般に、発電機を介した電気への変換よりも高い効率を有するためである。しかしながら、これらのシステムは発電機よりも信頼性が低く、回収された動力は、単一のドライバで消費される動力と厳密に一致する必要があり、限定された空間内に全てが存在しなければならない、継ぎ手、ギヤ、スイッチギヤ、クラッチなどにおいて多くの接続機器を必要とする。これらの問題は、動力回収ポイントで電力を発生させ、プロセスユニット内の任意のドライバ向けの代替可能動力としてこの電力を提供することによって対処されてきた。動力回収がプロセスユニット内で消費される動力よりも大きい場合、プラントグリッド上でより高い電圧レベルにエクスポートされる必要がある。これは、これまでに見られた大部分の主要動力回収設備の場合である。
【０００２】
しかしながら、プラントの電力グリッドへの送電は、独自の一連の問題を提示する。送電には、電気調整、電圧変換、及び周波数調整という複数の工程を必要とする。現在では、動力回収分野において、ユニットコストを低下させて、より低い動力発生源において経済的な動力回収を可能にすることができる、より高度な技術機器が利用可能である。よりコスト効率の高いタービンが制御要素としてプロセス流に設置される場合、複数のタービンを設置することが望ましい場合がある。しかしながら、複数のタービンを設置するには、高圧グリッドを保護するための電力調整、変圧器、電気部品、及び安全装置のコストがかかる。
【０００３】
したがって、動力回収タービンを使用するための、改善された電気処理プロセス及び装置が必要とされている。
【図面の簡単な説明】
【０００４】
【図１】本発明の一実施形態の電気接続図である。
【図２】本発明の別の実施形態の電気接続図である。
【発明を実施するための形態】
【０００５】
本発明は、電力を発生させることにより、１つ以上の動力回収タービン発電機を含む石油、石油化学、又は化学プラントにおいて動力を回収することに関する。動力回収タービンは、プロセスにおける制御要素として使用され得る。タービン発電機の動力出力は、三相低圧（例えば、４８０ＶＡＣ又は２４０ＶＡＣなど＜６００ＶＡＣ）配電システムに接続される前に統合され、調整される。低圧で電力を供給することにより、昇圧変換及び中圧（例えば、５ｋＶＡＣ又は１５ｋＶＡＣクラス）スイッチギヤ及び保護リレーの機器資本コストを回避する。このアプローチは、機器資本経費、敷地空間、現場の電路、メンテナンスコストを節約し、信頼性を高める。
【０００６】
石油、石油化学、又は化学プロセスユニットにおける動力回収タービンの設置は、資本経費、敷地面積、電路コスト、スイッチギヤ列内の空間、及び動力を低圧（例えば、＜６００ＶＡＣ）から中圧（例えば、５ｋＶＡＣ又は１５ｋＶＡＣクラス）に変換するために必要な機器のために制限される。最近までは、必要機器に必要とされる空間に関して経済的かつ実用的である、より小型の動力回収ユニット（例えば、＜５００ｋＷの回収動力）が存在しなかった。結果として、大型の動力回収発電機のみが設置されており、つまり、発生した電力をユニット（例えば、流動接触分解（ＦＣＣ）煙道ガス動力回収タービン）からエクスポートしなければならなかった。
【０００７】
いくつかの実施形態では、電気をより高いグリッド電圧に変換するコストは、プロセスユニット自体で使用されるドライバの低圧（例えば、＜６００ＶＡＣ）レベルでＡＣ電力を発生させることによって完全に回避される。このように、プラントのグリッドバスでのプロセスユニットの正味電力引き込みが、動力回収ユニットによって発生した電力量によって低減されるため、グリッドからの引き込み電力量は低減される。これは、プロセスユニット内で消費される電力よりも少ない電力を発生させる、非常にコスト効率の高い、コンパクトな小型動力回収ユニットに関して特に興味深い。他の実施形態では、電力の一部は、より高い電圧に変換される。
【０００８】
米国特許第５，４８１，１４５号に開示されているようなコスト効率の高い動力回収装置を使用することにより、この装置を使用しなければ無駄にした電力（制御弁の降下など）から経済的に電力を回収して、良好な対価を得ることができる。しかしながら、この用途のために新ユニットコスト又は改善コストを低く維持し、プラント電気システムに対する混乱を最小限に抑えることができるようにするためには、動力回収装置からの送電を、プロセスサブステーションの配電システム内のＡＣバスに限定するべきであり、同じ低圧（例えば、＜６００ＶＡＣ）並びにその内部の周波数及び位相パターンに適合するべきである。流量コントローラとして機能し、したがって、交流モードで変動する電流、電圧、及び周波数出力を有する動力回収装置は、低圧（例えば、＜６００ＶＡＣ）グリッドまで同期するという制約から切り離されて動作することが望ましい。これを達成する１つの方法は、動力回収タービン出力をＤＣ電流に整流し、次いで、専用ＡＣインバータに出力電圧をプロセス低圧ＡＣバスと同期させることである。
【０００９】
本発明の一態様は、石油、石油化学、又は化学プラントにおいてエネルギーを回収するための装置である。一実施形態では、この装置は、石油、石油化学、又は化学プロセスゾーンと、プロセスゾーンを通って流れる少なくとも第１の流体プロセス流と、少なくとも第１の可変抵抗動力回収タービンであって、第１のプロセス流の一部は第１の動力回収タービンを通って流れて、そこから直流として、電力を発生させる、少なくとも第１の可変抵抗動力回収タービンと、第１の動力回収タービンに電気的に接続された単一のＤＣ−ＡＣインバータであって、ＤＣ−ＡＣインバータの出力は、三相低圧（例えば、＜６００ＶＡＣ）電力グリッドなど第１のサブステーションに電気的に接続された、ＤＣ−ＡＣインバータと、を備える。流体プロセス流は、液体若しくは気体、又はこれらの混合物であり得る。
【００１０】
プロセスサブステーションは、プロセスユニットサービス群への配電専用の電気的領域である。典型的には、精錬所又は石油化学若しくは化学プラント内にいくつかのプロセス及びユーティリティサブステーションが存在し、主配電システムが位置する主サブステーションが１つ存在する。プロセスサブステーションは、変圧器、電気棟、異なる電圧レベルのスイッチギヤ、モータ制御センター（ＭＣＣ）、及び単相分電盤で構成される。大部分のプロセスサブステーションは、極めて大きいｋＷ電気負荷を提供し、その一部は低圧（例えば、＜６００Ｖ）であり、その一部は中圧（例えば、より大型のモータ、例えば、＞２５０ＨＰ）である。その結果、典型的なプロセスサブステーションは、中圧バス及び低圧バスの両方を有する。
【００１１】
動力が回収されると、インバータの出力は、プロセスサブステーションの低圧配電システムに接続され得、又は十分に大量の動力が回収される場合には、プロセスサブステーションの中圧配電システムに昇圧され得る。昇圧電圧を有する大量の回収された電力はまた、他のプロセスサブステーション又は主サブステーション内の中圧システムに接続され得る（中圧は、一般に電圧降下を低減するために使用される）。しかしながら、これにより、変換、スイッチギヤ、配線など追加コストが生じ、追加機器用にかなりの不動産を必要とする。
【００１２】
いくつかの実施形態では、第１のサブステーションは、プロセスゾーン内の１つの機器に電気的に接続されている。
【００１３】
いくつかの実施形態では、プロセスゾーンを通って流れる少なくとも第２の流体プロセス流、及び少なくとも第２の可変抵抗動力回収タービンが存在する。第２のプロセス流の一部は、第２の動力回収タービンを通って流れて、そこから直流として、回収された電力を発生させる。第２の動力回収タービンは、単一のＤＣ−ＡＣインバータに電気的に接続されている。
【００１４】
いくつかの実施形態では、第１及び／又は第２の動力回収タービン及びＤＣ−ＡＣインバータに電気的に接続されたＤＣバスが存在する。
【００１５】
いくつかの実施形態では、動力回収タービンは、調節可能なガイドベーン動力回収タービン若しくは可変負荷動力回収タービン、又はこれらの組み合わせを備える。
【００１６】
この装置は、アルキル化ゾーン、分離ゾーン、異性化ゾーン、接触改質ゾーン、流動接触分解ゾーン、水素化分解ゾーン、水素化処理ゾーン、水素化ゾーン、脱水素化ゾーン、オリゴマー化ゾーン、脱硫ゾーン、アルコール−オレフィンゾーン、アルコール−ガソリンゾーン、抽出ゾーン、蒸留ゾーン、サワー水ストリッピングゾーン、液相吸着ゾーン、硫化水素還元ゾーン、アルキル化ゾーン、トランスアルキル化ゾーン、コーキングゾーン、及び重合ゾーンのうちの少なくとも１つが挙げられるが、これらに限定されない、多種多様のプロセスで使用され得る。
【００１７】
いくつかの実施形態では、ＤＣ−ＡＣインバータに電気的に接続された３つ以上の動力回収タービンが存在する。
【００１８】
いくつかの実施形態では、２つ以上のＤＣ−ＡＣインバータが存在してよく、ＤＣ−ＡＣインバータのそれぞれは、１つ以上の動力回収タービンに電気的に接続されている。ＤＣ−ＡＣインバータのそれぞれのグリッド出力は、低圧（例えば、＜６００ＶＡＣ）電源に電気的に接続されている。電力グリッドは、ＤＣ−ＡＣインバータの全てについて同じであり得る、又は異なり得る。
【００１９】
いくつかの実施形態では、サブステーションは、少なくとも１つの交流バスを備え、ＤＣ−ＡＣインバータの出力は、サブステーション内の低圧（例えば、＜６００ＶＡＣ）バスなど少なくとも１つの交流バスに電気的に接続されている。
【００２０】
いくつかの実施形態では、サブステーションは、少なくとも１つの交流バスを備え、ＤＣ−ＡＣインバータの出力は、電気的に中圧に変換され、次いでプロセスサブステーション内の中圧（例えば、５ｋＶＡＣ又は１５ｋＶＡＣクラス）バスに接続される。
【００２１】
いくつかの実施形態では、第２のサブステーションが存在し、第１のサブステーションの出力は第２のサブステーションに電気的に接続されている。いくつかの実施形態では、第２のサブステーションは、第１のサブステーションの電圧よりも高い電圧を有し、昇圧変圧器が存在して、ＤＣ−ＡＣインバータの電圧を、第２のサブステーションのより高い電圧（中圧など）に昇圧させる。
【００２２】
いくつかの実施形態では、第１のサブステーションは、少なくとも２つの石油、石油化学、又は化学プロセスゾーンに電気的に接続されている。いくつかの実施形態では、第１のサブステーションの出力は、少なくとも２つのプロセスゾーン内の１つの機器に電気的に接続されている。
【００２３】
本発明の別の態様は、石油、石油化学、又は化学プラントからエネルギーを回収するためのプロセスである。一実施形態では、このプロセスは、石油、石油化学、又は化学プロセスゾーンにおいて少なくとも第１の流体プロセス流を提供することと、第１のプロセス流の少なくとも一部を、第１の動力回収タービンを通るように方向付けることによって第１のプロセス流の流量を制御して、そこから直流として、回収された電力を発生させることと、単一のＤＣ−ＡＣインバータ内で、回収された直流を回収された交流に変換することと、回収された交流を第１のサブステーションに提供することと、を含む。
【００２４】
いくつかの実施形態では、第１のサブステーションは、プロセスゾーン内の１つの機器に電気的に接続されている。
【００２５】
いくつかの実施形態では、第１のサブステーションは、少なくとも２つの石油、石油化学、又は化学プロセスゾーンに電気的に接続されている。いくつかの実施形態では、このプロセスは、回収された交流を、少なくとも２つのプロセスゾーン内の１つの機器に提供することを含む。
【００２６】
いくつかの実施形態では、このプロセスは、プロセスゾーンを通って流れる、少なくとも第２の流体プロセス流を提供することと、第２のプロセス流の少なくとも一部を、少なくとも第２の可変抵抗動力回収タービンを通るように方向付けることによって第２のプロセス流の流量を制御して、そこから直流として、回収された電力を発生させることと、第１及び第２の動力回収タービンからの直流を統合することと、ＤＣ−ＡＣインバータ内で、統合した、回収された直流を回収された交流に変換することと、を含む。
【００２７】
いくつかの実施形態では、第１及び第２の動力回収タービンからの回収された直流を統合することは、第１及び第２の動力回収タービン、並びにＤＣ−ＡＣコンバータに電気的に接続されたＤＣバス内で、第１及び第２の動力回収タービンから回収された直流を統合することを含む。
【００２８】
いくつかの実施形態では、プロセスサブステーションは、少なくとも１つの交流バスを備え、ＤＣ−ＡＣインバータの出力は、少なくとも１つの交流バスに電気的に接続されている。
【００２９】
いくつかの実施形態では、第２のサブステーションが存在し、第１のサブステーションの出力は第２のサブステーションに電気的に接続されている。
【００３０】
いくつかの実施形態では、第２のサブステーションは、第１のサブステーションの電圧よりも高い電圧を有し、このプロセスは、ＤＣ−ＡＣインバータの出力を、第２のサブステーションのより高い電圧に昇圧させることを更に含む。
【００３１】
いくつかの実施形態では、このプロセスはまた、外部電力グリッド及び複数の減圧装置から情報を受信することであって、複数の減圧装置は、１つ以上の動力回収タービン、制御弁、又は両方を備える、ことと、減圧装置のそれぞれに対して電力損失値又は発生電力値を決定することと、減圧装置のそれぞれからの電力損失値又は発生電力値に基づいて総電力損失値又は総発生電力値を決定することと、少なくとも１つのディスプレイ画面に総電力損失値又は総発生電力値を表示することと、を含む。
【００３２】
いくつかの実施形態では、このプロセスはまた、総電力損失値又は総発生電力値に基づいて、プロセスゾーン内の少なくとも１つのプロセスパラメータを調整することを含む。
【００３３】
いくつかの実施形態では、このプロセスはまた、少なくとも１つのディスプレイ画面に総電力損失値又は総発生電力値を表示することを含む。
【００３４】
いくつかの実施形態では、このプロセスは、少なくとも１つのプロセスパラメータの調整後に、減圧装置のそれぞれについて更新された電力損失値又は更新された発生電力値を決定することと、減圧装置のそれぞれからの更新された電力損失値又は更新された発生電力値に基づいて、プロセスゾーンの更新された総電力損失値又は更新された総発生電力値を決定することと、少なくとも１つのディスプレイ画面に更新された総電力損失値又は更新された総発生電力値を表示することと、を含む。
【００３５】
いくつかの実施形態では、このプロセスはまた、プロセスゾーンの外側の条件に関連する情報を受信することを含み、総電力損失値又は総発生電力値は、プロセスゾーンの外側の条件に関連する情報に部分的に基づいて決定される。
【００３６】
いくつかの実施形態では、このプロセスはまた、プロセスゾーンの処理量に関連する情報を受信することを含み、総電力損失値又は総発生電力値は、プロセスゾーンの処理量に関連する情報に部分的に基づいて決定される。
【００３７】
いくつかの実施形態では、このプロセスはまた、総電力損失値又は総発生電力値に基づいて、プロセスゾーンの一部の少なくとも１つのプロセスパラメータを調整しつつ、プロセスゾーンの処理量を維持することを含む。
【００３８】
電力は、発電回路上のガイドベーン又は可変負荷のいずれかによって可能になる、流量に対する可変抵抗を受けて、動力回収タービンを介して発生する。タービンから生じる電力はＤＣであり、単一のラインに統合され、電力グリッドと同期して、かつ同じ電圧でＤＣ電力をＡＣに変換するインバータに送られ得る。動力回収タービンはＤＣ出力を生成するので、変動し、可変である回転速度を個別に有し得る制御動力回収タービンのために周波数、回転速度などの同期について懸念することなく電流を統合できる。
【００３９】
いくつかの実施形態では、プロセスユニット内でプロセス流の流量を制御し、プロセス流からエネルギーを回収するためのプロセスは、数例を挙げると、可変ノズルタービン、入口可変ガイドベーン、又は直接連結された可変電気負荷を使用して、プロセス流の一部が１つ以上の可変抵抗動力回収タービンを通るように方向付けてプロセス流の流量を制御し、タービンを通る流れに対する抵抗を変化させることを含む。
【００４０】
可変抵抗タービンの回転に対する抵抗は、タービンに対して回転する磁石からの磁界内にある外部可変負荷電気回路によって変化させることができる。回路にかけられる負荷が大きいほど、タービンに対する回転への抵抗がより高い。このことにより、タービン全体により多くの圧力低下が与えられ、プロセス流の流れが遅くなる。装置内のアルゴリズムはまた、タービンＲＰＭ及び回路に対する負荷を測定することによって、装置を通る実際の流れを計算することができる。回転流に対する抵抗はまた、可変位置の入口ガイドベーンによって様々であり得る。いくつかの実施形態では、電力は、ガイドベーン又は発電生回路に対する可変負荷のいずれかによって可能になる、流量に対する可変抵抗を有する動力回収タービンを介して発生する。ガイドベーンの位置、出力、及びＲＰＭを使用して実際の流れを計算するためのアルゴリズムが使用され得る。
【００４１】
タービンの低速制御応答が問題である場合、タービンの使用は、低速応答、つまり「緩い」制御点用途に限定される。低速応答用途は、新たな（つまり、目標）定常状態条件が、企図される変化の半分に対して少なくとも１０％、少なくとも１秒、又は更にはそれ以上、例えば１０秒、少なくとも１分、少なくとも１０分、又は１時間以上異なるとき、新たな（つまり、目標）条件（例えば、温度、圧力、流量）と元の（つまり、開始）条件との間の半分（すなわち、５０％の相違）に到達する応答時間を有すると企図される。
【００４２】
電力グリッドは、プロセスサブステーションの内部の電力グリッド、プロセスサブステーションの外部の電力グリッド、又はこれら両方を含む。電力グリッドがプロセスサブステーションの内部にあるとき、ＤＣ−ＡＣインバータの出力は、プロセスサブステーションにおいて直接使用することができる。例えば、プロセスサブステーション内に１つ以上の交流バスが存在してよい。あるいは、電力グリッドがプロセスサブステーションの外部にあるとき、プロセスサブステーションよりも高い電圧であってよい。この場合、ＤＣ−ＡＣインバータの出力を、プロセスサブステーションの外部にある電力グリッドのより高い電圧に昇圧させる変圧器がプロセスサブステーションに存在する。
【００４３】
図１は、本発明のプロセス１の一実施形態の電気接続図を示す。動力回収タービン５Ａ、５Ｂ、５Ｃ、５Ｄは、同期発電機１０Ａ、１０Ｂ、１０Ｃ、１０Ｄにそれぞれ直接連結される。発生したＡＣ電流は、整流器１５Ａ、１５Ｂ、１５Ｃ、１５ＤによってＤＣに変換され、次いでＤＣバス上で統合される。ＤＣ電流は、インバータ２０に送られ、変換されてＡＣ電流に戻る。ＡＣ電流は、ＡＣバス４５に送られる前に、正弦波フィルタ、ＤＣチョーク、及びＲＦＩ抑制フィルタ２５によって調整される。インバータ主接触子３０、主スイッチ３５、及び回路ブレーカ４０を閉鎖すると、この動作が可能になる。回収された動力が、サブステーションの低圧バスの容量を超える場合、任意選択の昇圧変圧器５０（破線で示す）を設置して、低圧を中圧に変換することができる。図示のように、ＡＣバス４５（低圧又は中圧のいずれか）は、サブステーションが接続されているプロセスゾーン内の１つ以上の機器に接続され得る。
【００４４】
図２は、本発明のプロセス１００の第２の実施形態の電気接続図を示す。動力回収タービン１０５Ａ及び１０５Ｂは、それぞれ同期発電機１１０Ａ及び１１０Ｂに直接連結される。発生したＡＣ電流は、整流器１４５Ａ及び１４５ＢによってＤＣに変換され、次いでＤＣバス上で統合される。ＤＣ電流は、インバータ１１５Ａに送られ、変換されてＡＣ電流に戻る。ＡＣ電流は、ＡＣバス１２５Ａに送られる前に、正弦波フィルタ、ＤＣチョーク、及びＲＦＩ抑制フィルタ１２０Ａによって調整される。インバータ主接触子１５０Ａ、主スイッチ１５５Ａ、及び回路ブレーカ１４０Ａを閉鎖すると、この動作が可能になる。
【００４５】
別の分岐は、直接連結された同期発電機１１０Ｃ及び１１０Ｄを有する動力回収タービン１０５Ｃ及び１０５Ｄの類似構成を有する。発生したＡＣ電流は、整流器１４５Ｃ及び１４５ＤによってＤＣに変換され、次いでＤＣバス上で統合される。ＤＣ電流は、インバータ１１５Ｂに送られ、変換されてＡＣ電流に戻る。ＡＣ電流は、ＡＣバス１２５Ｂに送られる前に、正弦波フィルタ、ＤＣチョーク、及びＲＦＩ抑制フィルタ１２０Ｂによって調整される。インバータ主接触子１５０Ｂ、主スイッチ１５５Ｂ、及び回路ブレーカ１４０Ｂを閉鎖すると、この動作が可能になる。
【００４６】
図示のように、ＡＣバス１２５Ａ及び１２５Ｂは、変圧器１３０Ａ及び１３０Ｂにそれぞれ接続され、常時開放型結合回路ブレーカ１３５によって分離される。この構成は、大型工業プラントにおいて一般的である、典型的な二次選択式配電システムである。
【００４７】
ＡＣバス１２５Ａ及び／又は１２５Ｂは、サブステーションが接続されているプロセスゾーン内の１つ以上の機器に接続され得る。
【００４８】
本発明の装置及びプロセスは、石油、石油化学、又は化学プロセスゾーンで利用されるものとして企図される。既知のように、かかる石油、石油化学、又は化学プロセスゾーンユニットは、典型的には制御センター内のコンピュータ上でプロセス制御システムを利用する。
【００４９】
本明細書に開示する実施形態に関連して説明するプロセス制御システムは、汎用プロセッサ、デジタル信号プロセッサ（ＤＳＰ）、特定用途向け集積回路（ＡＳＩＣ）、フィールドプログラマブルゲートアレイ（ＦＰＧＡ）若しくは他のプログラム可能な論理デバイス、個別ゲート若しくはトランジスタ論理、個別ハードウェア構成要素、又は本明細書に記載の機能を実行するように設計された、これらの任意の組み合わせを用いて、コンピュータ上で実施又は実行されてよい。汎用プロセッサは、マイクロプロセッサであってよく、又はプロセッサは、任意の従来のプロセッサ、コントローラ、マイクロコントローラ、又はステートマシンであってよい。プロセッサはまた、計算装置の組み合わせ、例えば、ＤＳＰとマイクロプロセッサとの組み合わせ、２つ以上のマイクロプロセッサ、又は前述の任意の他の組み合わせであってよい。
【００５０】
プロセス制御システムに関連するプロセスの工程は、ハードウェア、プロセッサによって実行されるソフトウェアモジュール、又はこれら２つの組み合わせに直接含まれるアルゴリズムで具現化されてよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当該技術分野において既知の任意の他の形態の記憶媒体内に存在してよい。例示的な記憶媒体は、プロセッサが記憶媒体に対して情報の読み取り及び書き込みを行うようにプロセッサと通信する。これは、記憶媒体がプロセッサと一体である、つまりプロセッサを伴うことを含む。プロセッサ及び記憶媒体は、ＡＳＩＣ内に存在してよい。ＡＳＩＣは、ユーザ端末に存在してよい。あるいは、プロセッサ及び記憶媒体は、ユーザ端末内の別個の構成要素として存在してよい。これらのデバイスは、単に、コンピュータ可読記憶媒体の例示的な、非限定例であることを意図するものである。プロセッサ及び記憶媒体又はメモリはまた、典型的には、異なる構成要素間、コンピュータプロセッサ間など、例えば、入力チャネル、制御論理のプロセッサ、制御システム内の出力チャネル、及び制御センター内のオペレーターステーションの間などでの有線又は無線通信を可能にするハードウェア（例えば、ポート、インターフェース、アンテナ、増幅器、信号プロセッサなど）と通信する。
【００５１】
コンピュータ及びプロセッサに関連して「通信している」とは、情報又はデータを送受信する能力を指す。データ又は情報の送信は、無線送信（例えば、Ｗｉ−Ｆｉ又はＢｌｕｅｔｏｏｔｈによる）又は有線送信（例えば、イーサネットＲＪ４５ケーブル又はＵＳＢケーブルを使用する）であり得る。無線送信の場合、無線送受信機（例えば、Ｗｉ−Ｆｉ送受信機）が、各プロセッサ又はコンピュータと通信している。送信は、自動的に、コンピュータの要求時に、コンピュータからの要求に応じて、又は他の方法で実行され得る。データは、プッシュ、プル、フェッチなど任意の組み合わせで取得され得、又は任意の他の方法で送受信され得る。
【００５２】
したがって、本発明によると、プロセス制御システムは、動力回収タービン１０５Ａ、１０５Ｂ、１０５Ｃ、１０５Ｄによって発生した電力量に関連して、動力回収タービン１０５Ａ、１０５Ｂ、１０５Ｃ、１０５Ｄから情報を受信することが企図される。動力回収タービン１０５Ａ、１０５Ｂ、１０５Ｃ、１０５Ｄは、発生した電力量を（プロセッサを介して）決定することが企図される。あるいは、情報を受信するプロセス制御システムが、動力回収タービン１０５Ａ、１０５Ｂ、１０５Ｃ、１０５Ｄによって発生した電力量を決定する。いずれの構成においても、動力回収タービン１０５Ａ、１０５Ｂ、１０５Ｃ、１０５Ｄによって発生した電力量は、制御センター内のコンピュータと関連付けられた、少なくとも１つのディスプレイ画面に表示される。石油、石油化学、又は化学プロセスゾーンが複数の動力回収タービン１０５Ａ、１０５Ｂ、１０５Ｃ、１０５Ｄを備える場合、プロセス制御システムは、動力回収タービン１０５Ａ、１０５Ｂ、１０５Ｃ、１０５Ｄのそれぞれによって発生した電力量に関連する情報を受信することが更に企図される。プロセス制御システムは、動力回収タービン１０５Ａ、１０５Ｂ、１０５Ｃ、１０５Ｄのそれぞれに関連する情報に基づいて総発生電力を決定し、ディスプレイ画面に総発生電力を表示する。総発生電力は、個々の動力回収タービン１０５Ａ、１０５Ｂ、１０５Ｃ、１０５Ｄによって発生した電力量の代わりに、又はそれと共に表示されてよい。
【００５３】
上述のように、動力回収タービン１０５Ａ、１０５Ｂ、１０５Ｃ、１０５Ｄによって回収された電気エネルギーは、多くの場合、プロセスユニットにおいて流れに加えられたエネルギーを流れから除去した結果である。したがって、本発明によるプロセスは、流れに加えられるエネルギーを低減するように調整された、石油、石油化学、又は化学プロセスゾーンに関連する様々な処理条件を提供することが企図される。
【００５４】
プロセス制御システムは、石油、石油化学、又は化学プロセスゾーンの処理量に関連する情報を受信し、タービンの目標発生電力値を決定することが企図される。これは、電力が、典型的には石油、石油化学、又は化学プロセスゾーンに加えられるエネルギーを表すためである。目標発生電力値の決定は、電力が所定のレベル又はその付近にあるときに行われてよい。換言すれば、発生電力量が所定のレベルを満たすか又は超える場合、プロセス制御システムは、１つ以上の処理条件を決定して、目標発生電力値に到達するまで発生電力量を調整し、低下させることができる。
【００５５】
したがって、プロセス制御システムは、石油、石油化学、又は化学プロセスゾーンに関連する様々な処理条件に対する１つ以上の変化を分析して、石油、石油化学、又は化学プロセスゾーンのタービンによって回収されるエネルギー量を低下させる。好ましくは、プロセスユニットの処理量を調整することなく、処理条件が調整される。これにより、石油、石油化学、又は化学プロセスゾーンが同一処理量を有するものの、同一処理量に関連する操業コストよりもより低いコストを有することが可能になる。プロセス制御ソフトウェアは、目標発生電力と、総発生電力との差を計算し、ディスプレイ画面に表示してよい。
【００５６】
例えば、プロセス制御ソフトウェアは、総発生電力が所定のレベルを超えることを認識し得る。したがって、プロセス制御ソフトウェアは、目標発生電力値を決定することができる。プロセス制御ソフトウェアは、石油、石油化学、又は化学プロセスゾーンと典型的に関連する他のセンサ及びデータ収集装置から受信した他のデータ及び情報に基づいて、ある機器での消費燃料量を低下させることができると判定してよい。石油、石油化学、又は化学プロセスゾーンの処理量を維持しつつ、ある機器での消費燃料量を低下させる。これにより、タービンによって発生する電力は低下し得るが、燃料消費の低下により、同一処理量に対する操業コストを低下させる。
【００５７】
したがって、本プロセスは、典型的には失われるエネルギーを、石油、石油化学、又は化学プロセスゾーン内の他の場所で使用される形態に変換するだけではなく、石油、石油化学、又は化学プロセスゾーンには、石油、石油化学、又は化学プロセスゾーン全体に関連するエネルギー投入量を低下させ、よりエネルギー効率の高いプロセスを利用することによって利益を増加させる機会が提供される。
【００５８】
図面に弁、ポンプ、フィルタ、冷却器など様々な他の構成要素を示していないが、当業者は、これらの詳細が当業者の知識の範囲内であり、本発明の実施形態を実施又は理解するためにこれらの説明は不要と考えられるためであることを認識し、理解するべきである。
【００５９】
前述の「発明を実施するための形態」で、少なくとも１つの例示的な実施形態を提示したが、膨大な数の変更例が存在することを理解されたい。例示的な実施形態又は複数の例示的な実施形態は、あくまで例であり、いかなるようにも本発明の範囲、適用性、又は構成を制限することを意図しないこともまた理解するべきである。むしろ、前述の「発明を実施するための形態」は、本発明の例示的な実施形態を実施するための簡便なロードマップを当業者に提供するだろう。添付の「特許請求の範囲」に記載の範囲から逸脱することなく、例示的な実施形態で説明した要素の機能及び構成に様々な変更を加えることができるものと理解される。
【００６０】
特定の実施形態
以下を特定の実施形態と併せて説明するが、この説明は、前述の説明及び添付の特許請求の範囲を例示するものであり、限定するものではないことが理解されるであろう。
【００６１】
本発明の第１の実施形態は、石油、石油化学、又は化学プラントにおいてエネルギーを回収するための装置であって、石油、石油化学、又は化学プロセスゾーンと、プロセスゾーンを通って流れる、少なくとも第１の流体プロセス流と、少なくとも第１の可変抵抗動力回収タービンであって、第１のプロセス流の一部は第１の動力回収タービンを通って流れて、そこから直流として、回収された電力を発生させる、少なくとも第１の可変抵抗動力回収タービンと、第１の動力回収タービンに電気的に接続された単一のＤＣ−ＡＣインバータであって、ＤＣ−ＡＣインバータの出力は、第１のサブステーションに電気的に接続されている、単一のＤＣ−ＡＣインバータと、を備える。本発明の一実施形態は、本項の先の実施形態から本項の第１の実施形態までのうちの１つ、いずれか、又は全てであって、第１のサブステーションは、プロセスゾーン内の１つの機器に電気的に接続されている。本発明の一実施形態は、本項の先の実施形態から本項の第１の実施形態までのうちの１つ、いずれか、又は全てであって、プロセスゾーンを通って流れる、少なくとも第２の流体プロセス流と、少なくとも第２の可変抵抗動力回収タービンと、を更に備え、第２のプロセス流の一部は、第２の動力回収タービンを通って流れて、そこから直流として、回収された電力を発生させ、第２の動力回収タービンは、単一のＤＣ−ＡＣインバータに電気的に接続されている。本発明の一実施形態は、本項の先の実施形態から本項の第１の実施形態までのうちの１つ、いずれか、又は全てであって、第１の動力回収タービン及びＤＣ−ＡＣコンバータに電気的に接続されたＤＣバスを更に備える。本発明の一実施形態は、本項の先の実施形態から本項の第１の実施形態までのうちの１つ、いずれか、又は全てであって、動力回収タービンは、調節可能なガイドベーン動力回収タービン若しくは可変負荷動力回収タービン、又はこれらの組み合わせを備える。本発明の一実施形態は、本項の先の実施形態から本項の第１の実施形態までのうちの１つ、いずれか、又は全てであって、プロセスゾーンは、アルキル化ゾーン、分離ゾーン、異性化ゾーン、接触改質ゾーン、流動接触分解ゾーン、水素化分解ゾーン、水素化処理ゾーン、水素化ゾーン、脱水素化ゾーン、オリゴマー化ゾーン、脱硫ゾーン、アルコール−オレフィンゾーン、アルコール−ガソリンゾーン、抽出ゾーン、蒸留ゾーン、サワー水ストリッピングゾーン、液相吸着ゾーン、硫化水素還元ゾーン、アルキル化ゾーン、トランスアルキル化ゾーン、コーキングゾーン、及び重合ゾーンのうちの少なくとも１つを備える。本発明の一実施形態は、本項の先の実施形態から本項の第１の実施形態までのうちの１つ、いずれか、又は全てであって、ＤＣ−ＡＣインバータに電気的に接続された３つ以上の動力回収タービンが存在する。本発明の一実施形態は、本項の先の実施形態から本項の第１の実施形態までのうちの１つ、いずれか、又は全てであって、第１のサブステーションは少なくとも１つの交流バスを備え、ＤＣ−ＡＣインバータの出力は、少なくとも１つの交流バスに電気的に接続されている。本発明の一実施形態は、本項の先の実施形態から本項の第１の実施形態までのうちの１つ、いずれか、又は全てであって、第２のサブステーションを更に備え、第１のサブステーションの出力は第２のサブステーションに電気的に接続されている。本発明の一実施形態は、本項の先の実施形態から本項の第１の実施形態までのうちの１つ、いずれか、又は全てであって、第２のサブステーションは、第１のサブステーションの電圧よりも高い電圧を有し、第１のサブステーションの出力を第２のサブステーションのより高い電圧に昇圧させる昇圧変圧器を更に備える。本発明の一実施形態は、本項の先の実施形態から本項の第１の実施形態までのうちの１つ、いずれか、又は全てであって、第１のサブステーションは、少なくとも２つの石油、石油化学、又は化学プロセスゾーンに電気的に接続されている。本発明の一実施形態は、本項の先の実施形態から本項の第１の実施形態までのうちの１つ、いずれか、又は全てであって、第１のサブステーションの出力は、少なくとも２つのプロセスゾーン内の１つの機器に電気的に接続されている。
【００６２】
本発明の第２の実施形態は、石油、石油化学、又は化学プラントからエネルギーを回収するためのプロセスであって、石油、石油化学、又は化学プロセスゾーンにおいて少なくとも第１の流体プロセス流を提供することと、第１のプロセス流の少なくとも一部を、第１の可変抵抗動力回収タービンを通るように方向付けることによって第１のプロセス流の流量を制御して、そこから直流として、回収された電力を発生させることと、単一のＤＣ−ＡＣインバータ内で、回収された直流を回収された交流に変換することと、回収された交流を第１のサブステーションに提供することと、を含む。本発明の一実施形態は、本項の先の実施形態から本項の第２の実施形態までのうちの１つ、いずれか、又は全てであって、第１のサブステーションは、プロセスゾーン内の１つの機器に電気的に接続されている。本発明の一実施形態は、本項の先の実施形態から本項の第２の実施形態までのうちの１つ、いずれか、又は全てであって、第１のサブステーションは、少なくとも２つの石油、石油化学、又は化学プロセスゾーンに電気的に接続されている。本発明の一実施形態は、本項の先の実施形態から本項の第２の実施形態までのうちの１つ、いずれか、又は全てであって、回収された交流を、少なくとも２つのプロセスゾーン内の１つの機器に提供することを更に含む。本発明の一実施形態は、本項の先の実施形態から本項の第２の実施形態までのうちの１つ、いずれか、又は全てであって、プロセスゾーンを通って流れる、少なくとも第２の流体プロセス流を提供することと、第２のプロセス流の少なくとも一部を、少なくとも第２の可変抵抗動力回収タービンを通るように方向付けることによって第２のプロセス流の流量を制御して、そこから直流として、回収された電力を発生させることと、第１及び第２の動力回収タービンからの直流を統合することと、ＤＣ−ＡＣインバータ内で、統合した、回収された直流を回収された交流に変換することと、を更に含む。本発明の一実施形態は、本項の先の実施形態から本項の第２の実施形態までのうちの１つ、いずれか、又は全てであって、第１のサブステーションは少なくとも１つの交流バスを含み、ＤＣ−ＡＣインバータの出力は、少なくとも１つの交流バスに電気的に接続されている。本発明の一実施形態は、本項の先の実施形態から本項の第２の実施形態までのうちの１つ、いずれか、又は全てであって、第２のサブステーションを更に備え、第１のサブステーションの出力は第２のサブステーションに電気的に接続されている。本発明の一実施形態は、本項の先の実施形態から本項の第２の実施形態までのうちの１つ、いずれか、又は全てであって、第２のサブステーションは、第１のサブステーションの電圧よりも高い電圧を有し、ＤＣ−ＡＣインバータの出力を、第２のサブステーションのより高い電圧に昇圧させることを更に含む。本発明の一実施形態は、本項の先の実施形態から本項の第２の実施形態までのうちの１つ、いずれか、又は全てであって、複数の減圧装置から情報を受信することであって、複数の減圧装置は、１つ以上の動力回収タービン、制御弁、又はその両方を備える、ことと、減圧装置のそれぞれに対して電力損失値又は発生電力値を決定することと、減圧装置のそれぞれからの電力損失値又は発生電力値に基づいて総電力損失値又は総発生電力値を決定することと、少なくとも１つのディスプレイ画面に総電力損失値又は総発生電力値を表示することと、を更に含む。本発明の一実施形態は、本項の先の実施形態から本項の第２の実施形態までのうちの１つ、いずれか、又は全てであって、総電力損失値又は総発生電力値に基づいて、プロセスゾーン内の少なくとも１つのプロセスパラメータを調整することを更に含む。本発明の一実施形態は、本項の先の実施形態から本項の第２の実施形態までのうちの１つ、いずれか、又は全てであって、少なくとも１つのディスプレイ画面に電力損失値又は発生電力値を表示することを更に含む。本発明の一実施形態は、本項の先の実施形態から本項の第２の実施形態までのうちの１つ、いずれか、又は全てであって、少なくとも１つのプロセスパラメータの調整後に、減圧装置のそれぞれについて更新された電力損失値又は更新された発生電力値を決定することと、減圧装置のそれぞれからの更新された電力損失値又は更新された発生電力値に基づいて、プロセスゾーンの更新された総電力損失値又は更新された総発生電力値を決定することと、少なくとも１つのディスプレイ画面に更新された総電力損失値又は更新された総発生電力値を表示することと、を更に含む。本発明の一実施形態は、本項の先の実施形態から本項の第２の実施形態までのうちの１つ、いずれか、又は全てであって、プロセスゾーンの外側の条件に関連する情報を受信することを更に含み、総電力損失値又は総発生電力値は、プロセスゾーンの外側の条件に関連する情報に部分的に基づいて決定される。本発明の一実施形態は、本項の先の実施形態から本項の第２の実施形態までのうちの１つ、いずれか、又は全てであって、プロセスゾーンの処理量に関連する情報を受信することを更に含み、総電力損失値又は総発生電力値は、プロセスゾーンの処理量に関連する情報に部分的に基づいて決定される。本発明の一実施形態は、本項の先の実施形態から本項の第２の実施形態までのうちの１つ、いずれか、又は全てであって、総電力損失値又は総発生電力値に基づいて、プロセスゾーンの一部の少なくとも１つのプロセスパラメータを調整しつつ、プロセスゾーンの処理量を維持することを更に含む。
【００６３】
更に説明することなく、前述の説明を用いて、当業者が、本発明の趣旨及び範囲から逸脱することなく本発明を最大限に利用し、本発明の本質的な特性を容易に確認でき、本発明の様々な変更及び修正を行い、様々な使用及び条件に適合させることができると考えられる。したがって、先行する好ましい特定の実施形態は、単なる例示として解釈されるべきであり、いかなるようにも本開示の残りを限定するものではなく、添付の特許請求の範囲内に含まれる様々な修正及び同等の構成を網羅することを意図するものである。
【００６４】
上記では、全ての温度は摂氏度で記載され、全ての部及び百分率は、別途記載のない限り、重量基準である。
【図１】
2021517220.tif 000003
【図２】
2021517220.tif 000004
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
石油、石油化学、又は化学プラントからエネルギーを回収するためのプロセスであって、
石油、石油化学、又は化学プロセスゾーンにおいて少なくとも第１の流体プロセス流を提供することと、
前記第１のプロセス流の少なくとも一部を、第１の可変抵抗動力回収タービン（５Ａ）を通るように方向付けることによって前記第１のプロセス流の流量を制御して、そこから直流として、回収された電力を発生させることと、
単一のＤＣ−ＡＣインバータ（２０）内で、前記回収された直流を回収された交流に変換することと、
前記回収された交流を第１のサブステーションに提供することと、を含む、プロセス。
【請求項２】
前記第１のサブステーションは、前記プロセスゾーン内の１つの機器に電気的に接続されている、請求項１に記載のプロセス。
【請求項３】
石油、石油化学、又は化学プラントにおいてエネルギーを回収するための装置であって、
石油、石油化学、又は化学プロセスゾーンと、
前記プロセスゾーンを通って流れる、少なくとも第１の流体プロセス流と、
少なくとも第１の可変抵抗動力回収タービン（５Ａ）であって、前記第１のプロセス流の一部は前記第１の動力回収タービン（５Ａ）を通って流れて、そこから直流として、回収された電力を発生させる、少なくとも第１の可変抵抗動力回収タービン（５Ａ）と、
前記第１の動力回収タービン（５Ａ）に電気的に接続された単一のＤＣ−ＡＣインバータ（２０）であって、前記ＤＣ−ＡＣインバータ（２０）の出力は、第１のサブステーションに電気的に接続されている、単一のＤＣ−ＡＣインバータ（２０）と、を備える、装置。
【国際調査報告】
2021517220.tif 000005